【手続補正書】
【提出日】平成19年3月6日(2007.3.6)
【手続補正１】
【補正対象書類名】明細書
【補正対象項目名】全文
【補正方法】変更
【補正の内容】
【書類名】      明細書
【発明の名称】  浸透室内実験方法及び装置
【特許請求の範囲】
【請求項１】
容器内に供試体の原形素材を充填し、該原形素材を所定加圧力の拘束状態にして、改良材を注入し、当該拘束圧力維持状態で水中にて養生するようにすることを特徴とする浸透室内実験方法。
【請求項２】
上記容器内のサンドストッパをポーラスな軽量材とするようにすることを特徴とする浸透室内実験方法。
【請求項３】
容器内に改良材を注入充填して拘束圧力下にて供試体とする浸透圧下における浸透室内実験方法に使用する装置において、ガイドにたいして容器としてのシリンダをサンドストッパを介して、供試体の原形素材をピストンにて封入状態にし、該シリンダの上下に上下のフランジに加圧体圧入ポートと改良材注入ポートとを有することを特徴とする浸透室内実験装置。
【請求項４】
上記シリンダにＯ−リングが介装されていることを特徴とする請求項３記載の浸透室内実験装置。
【発明の詳細な説明】
【０００１】
【発明の属する技術分野】
開示技術は、地盤改良工事等に際し、当該地盤中に改良材を注入する際に、非拘束圧状態の注入ではなく、サンプル実験的に拘束圧下で改良材を注入して、その後、所定時間養生して供試体を作成する技術分野に属する。
【０００２】
【従来の技術】
周知の如く、地盤改良工事等においては、当該地盤中に形成された削孔を介して、改良材を注入し、経時的に固化するプロセスを辿るが、その際、該削孔が外気の空気中に連通状態であるために、改良材の注入は自然空気下において行われ、しかるに、地下の土圧と地下水の影響下において、実際には行われるために、一種の拘束圧下における改良作用が行われることになり、データの採取は当該拘束圧下における室内実験により行われねばならないが、従来は当該室内実験が拘束圧下において行われる技術が開発されていない欠点があった。
【０００３】
したがって、実施工に際しては、拘束圧下にて採取されるデータが少なく、当該実施工において、設計通りの地盤改良工事が行われ難い難点があり、場合によると経費過大となってコスト高になる不利点があった。
【０００４】
【発明が解決しようとする課題】
この出願の発明の目的は上述従来技術に基づく現実の改良材注入工事における地下の土圧と地下水の影響を実験室における実験データとして作成し、現実の地盤改良工事等の改良材注入に充分に役立てることが出来るようにして、建設産業における土木技術利用分野に益する優れた浸透室内実験方法及び該実験方法に直接使用する装置を提供せんとするものである。
【０００５】
【課題を解決するための手段】
上述目的に沿い先述特許請求の範囲を要旨とするこの出願の発明の構成は、前述課題を解決するために、容器内に改良材を注入充填して拘束圧力下にて供試体とする浸透圧下における浸透室内実験方法において、上記容器内にサンドストッパを介して供試体の原形素材を充填し、ピストンにて該原形素材を所定加圧力の拘束状態にして、改良材を注入し、当該拘束圧力維持状態で水中にて養生するようにすることを基幹とし、而して、上記サンドストッパをポーラスな軽量材とするようにし、上記容器内に改良材を注入充填して拘束圧力下にて供試体とする浸透圧下における浸透室内実験方法に使用する装置において、ガイドにたいして容器としてのシリンダをサンドストッパを介して、供試体の原形素材をピストンにて封入状態にし、該シリンダの上下のフランジに加圧体圧入ポートと改良材注入ポートとを有するようにし、上記シリンダにＯ−リングが介装されているようにもした技術的手段を講じたものである。
【０００６】
【作用】
上述構成において、シリンダタイプの容器をタイロッド等のガイドのよって進退自在にし、該容器内にポーラス等のサンドストッパを介し、所定粒径の砂を収納し、フランジを介し、圧縮空気等の所定のポートを介し、ピストンをして、該砂体を圧縮し、所定の拘束圧状態を維持し、脱気水中にて所定時間養生し、供試体を作成し、当該供試体のデータを実際の地盤改良の施工工事等に利用することが出来るようにしたものである。
【０００７】
【発明の実施の形態】
次に、この出願の発明の実施しようとする形態を図面を参照して説明すれば以下の通りである。
【０００８】
１はこの出願の発明の要旨の中心の一つをなす浸透室内実験装置であり、そのシリンダタイプの容器は、例えば、アクリル製であり、その上下にフランジ３，３´を有し、該上下のフランジ３，３´にはタイロッドとしてのガイド４が挿入セットされ、ナット５により固定され、又、該容器２の上部にはピストン６がスライド自在に設けられてセットされている。
【０００９】
而して、該ピストン６には上下にＯ−リング７´，７´が設けられて該ピストン６をシリンダ２に対し、機密裡に摺動自在にされており、該シリンダ２の上部には圧縮空気の流体圧入用の加圧体圧入ポート８が連通状態に穿設されている。
【００１０】
又、該ピストン６のステム部分には締付けナット９を介し、固定板１０が付設されている。
【００１１】
而して、シリンダ２の内部下部とピストン６の下部との間にはポーラスな軽石等のサンドストッパ１１が充填介装されて、該サンドストッパ１１，１１の間に漏斗等の手段を介し、原形素材の砂１２が充填介装され、又、下フランジ３´の中央部には改良材注入用の改良材注入ポート１３が穿設されて、バルブ１４を介し、所定のポンプ１５に接続されている。尚、１６はスペーサーである。
【００１２】
上述構成において、まず、シリンダ２を上下のフランジの３，３´を介し、ガイド４にスライド挿入させて、セットし、内部にサンドストッパー１１，１１を挿入充填し、両サンドストッパ１１，１１間に原形素材の所定粒形の砂１２を介装し、而して、該シリンダ２にＯ−リング７´を介し、ピストン６を挿入セットし、サンドストッパ１１，１１間の砂１２を圧縮状態にし、次いで、加圧体圧入ポート８より圧縮空気を送給してピストン６を加圧状態にし、而して、下部フランジ３´の改良材注入ポート１３より所定の改良材をポンプ１５からバルブ１４を解放状態にして、該下部サンドストッパ１１を介し、砂１２中に浸透させ、上部のサンドストッパ１１を介し、ピストン６のシャンク１６よりバルブ１４´を介し、排出するようにし、当該実験データを所定に得るべくバルブ１４，１４´を所定の発停を介し、改良材の砂１２に対する浸透充填を介し、所定の拘束圧下において、技術的な固結作用を行い、バルブ１４，１４´を閉じ姿勢にし、この状態の拘束圧下の状態で脱気水に浸漬状態にし、養生を図り、所定の改良材を得る。
【００１３】
尚、バルブ１４，１４´の発停時間、及び、その長さは当該浸透圧が実施工に対して求められるデータを得る長さにされることは勿論のことである。
【００１４】
尚、この出願の発明の実施態様は上述実施例に限るものでないことは勿論であり、例えば改良材はパーマロックを主体とする珪酸ソーダ系の薬液でも良いものであり、サンドストッパ１１の材質はポーラスの軽量材であれば、軽石に限ることはないものである。
【００１５】
そして、サンドストッパ１１，１１と両者の間に挾層されて充填された砂１２には脱気水を下部改良材注入ポート１３を介し、該改良材の注入前に予め充満充填して、シリンダ２内に入っている混在する空気や水を強制的に排出し、後工程の改良材の圧入が確実に行われるようにする。
【００１６】
尚、図示実験装置は、図示しない養生水充満タンク内にてセット、リセットが可能であるようにされている。
【００１７】
尚、この出願の発明の実施態様は上述実施例に限るものではなく、例えば、図示実施例の上部構造部も下部に設ける種々の態様も採用可能である。
【００１８】
【発明の効果】
以上、この出願の発明によれば、実験室内において、地下数１０メートルを超す地下水や土圧による拘束圧下の実情に沿う実験データが得られ、その浸透圧の経時的なデータは、即実際の施工に役立つデータとして用いることが出来る。
【００１９】
而して、シリンダ内にはサンドストッパを挟んで砂等の原材料素材が充填されて、下部からの改良材を浸透圧入充填されて、所定時間養生に供されることにより望ましい拘束圧下の供試体のデータが得られるという優れた効果が奏される。
【００２０】
而して、実施工においては、当該貴重な実験室データが、即そのまま用いることが出来、実施工における構造物等の施工が信頼性の高いものとして得られるという優れた効果が奏される。
【００２１】
又、注入する改良材の拘束圧はバルブの配設、及び、時間的な開閉配設により、所定の拘束圧に調節出来るという優れた効果が奏される。
【図面の簡単な説明】
【図１】
この出願の発明の装置発明の概略断面側面図である。
【符号の説明】
１        実験装置
２        容器（シリンダ）
３，３´  上下のフランジ
６        ピストン
７´      Ｏ−リング
１１      サンドストッパ
１２      原形素材
１３      改良材注入ポート